(57)【要約】【課題】  老人会、婦人会、ＰＴＡ等グループ組織による空き缶のリサイクル活動において、電力を必要とせず何処にでも持ち運びが出来て、大量に回収した空き缶の減容、解体を立った姿勢で両手と足を使い安全、軽快に処理することが出来る空き缶潰し機を提供する。【解決手段】立った姿勢で中押し手動レバー6を手前に引き、空き缶の略中央部を潰し、足踏みレバー8により押えレバー5に固定された押壊板5aで空き缶を減容するが、足踏みレバー8による圧壊過程で潰された空き缶により中押し板6aが挟み込まれることが多い。それを防止するために中押し連結用ピン12と載置台2に固定されたストッパー2a及び押えレバー5と中押し板6aに夫々δ、ζのオフセット値を設定することにより、押えレバー5が下がるに従いストッパー2aを支点として中押し板6aが跳ね上がり、挟み込みを防止する機能及び缶を潰す過程において作業の安全上滑り止めを備えた空き缶潰し機。【選択図】  図１
0003102158.tif 000002
【実用新案登録請求の範囲】
【請求項１】
空き缶を立った姿勢にて架台1に固定された載置台2の上に挿入して、押えレバー5に中押し連結用ピン12を介して連動すると共に中押し手動レバー6の操作により回動する中押し板6aにより空き缶の略中央を押壊して、その後足踏みレバー8を踏み下げることにより、それに連結した押えレバー5に固定された圧壊板5aにより空き缶全体を折りたたみ圧壊減容する。ストッパー2aと中押し板6aの中押し連結ピン12の孔の位置をδ、ζのオフセット値を与えることにより、圧壊過程において中押し板6aが跳ね上げられ、圧壊時の空き缶による中押し板６aの挟み込みを防止する機能を備えた空き缶潰し機。
【請求項２】
載置台2に点接触の滑り止め2ｂを３列に敷設し、円筒及び半潰しの空き缶を中押し及び圧壊する過程において滑り難くした機能を備えた請求項1記載の空き缶潰し機。
【考案の詳細な説明】
【技術分野】
【０００１】
本発明は使用済み空き缶の減容．解体を行い、保管．搬送の効率化を促進するための空き缶潰し機に関するものである。
【背景技術】
【０００２】
環境保護、資源の有効活用の一環としてリサイクル活動が盛んに行われるようになってきた。そのリサイクル活動の一つとして老人会、婦人会、ＰＴＡ等による使用済み空き缶の回収が組織的に盛んに行われているが、回収量が増えるに従い、その保管スペースの確保及び搬送効率が問題となっている。
【０００３】
回収した空き缶を減容、解体するために多くの空き缶潰し機が開発されてきた。
市場には電動式、足踏み式及び手動式のものがある。高価な電動式はともかく、足踏み式、手動式は家庭用として開発されてきたものが多く、処理能力が一般的に非常に低い。大量に処理する必要のある組織活動等による空き缶回収活動に支障をきたしている。一例として下記のようなものが開発されている。
【特許文献１】特開平7-204900     足踏み式空き缶潰し機
【特許文献２】特開平8-71796      手動式空き缶潰し機
【考案の開示】
【考案が解決しようとする課題】
【０００４】
然しながら、上記従来技術において電動式は、組織的なボランティア活動に対しては設備投資コストが高すぎる。また回収された缶は正常な形状を保持していない半潰しの空き缶が多いために内部で詰まり易く、度々作動不能となり、その都度電源を切って詰まった缶を取り除かねばならない事が多い。
【０００５】
足踏み式及び手動式の場合は梃子の原理を利用した一本または２本のレバーによって潰す機構が殆どで、潰す方向も縦、横など様々であるが、いずれも家庭用として開発されたものである。
組織活動によるリサイクル回収活動等、大量の空き缶潰し機としては作業性が非常に悪く、老人、婦人には腰、膝、脚に負担がかかり過ぎ、健康管理,安全管理にも問題があった。本考案は上記問題点を解決する事を目的としている。
【課題を解決するための手段】
【０００６】
本考案は上記目的を達成するために、立った姿勢で空き缶を左手で載置台2の上に挿入し、右手で中押し手動レバー6を操作して缶の略中央部を中押し板6aで潰す。(以下押壊と呼ぶ)その後、足踏みレバー8を踏むことにより、連結リンク7で繋がれた圧壊板5aが潰し残った両端部を折りたたんで全体の体積を減容させること(以下圧壊と呼ぶ)を特徴とする。
【０００７】
圧壊板5aが全体を圧壊する過程において、中押し板6aは圧壊した空き缶で挟み込まれるが載置台2に取り付けられたストッパー2aと中押し板6aの中押し連結ピン12の穴の位置をδ、ζのオフセット値をあたえることにより、圧壊過程において中押し板6aは押し上げられて挟み込みを防ぐ機構とする。
【０００８】
回収された缶は正常な円筒形状の他に、半壊状態の缶が多く、載置台2に点接触の滑り止め2ｂを３列設けて中押し及び圧壊過程において滑り難くして、挿入及び突き落し時の安全性と作業の向上を図る。
【０００９】
架台１の左側に供給籠15、右側に収納袋17を懸架して作業性の効率化を計ると共に載置台２を缶の幅より広くして挿入案内ガイド部を設けることにより、缶の挿入と収納袋１７への突き出しに安全性を確保することを特徴とする。
【考案の効果】
【００１０】
本考案は以上に説明したように構成されているので、以下に記載されるような効果がある。
中押し手動レバー6と足踏みレバー8を立った姿勢で交互に操作することにより、安全、軽快に作業が持続出来、腰、膝、脚の負担が大幅に軽減出来た。そのため、老人会、婦人会等にも手足の運動をかねた空き缶潰し機として活用できる。
【００１１】
中押し手動レバー6は中押し後、中押し用スプリング9により元に戻るが、作業スピードが速く手前に引いたままの方が作業の姿勢が安定する。そのために圧壊時中押し板6は潰れた空き缶で挟み込まれる。挟み込み防止機能の考案により、作業がリズミカルになり、作業効率が大幅に向上した。
【００１２】
載置台2に点接触の滑り止め2ｂを３列設けることにより、中押し及び圧壊時
半壊した空き缶も滑り難くなり、作業の所定位置が確保出来て突き落し時の作業の安全性と足踏みレバー８の踏み込む力が安定した。
【００１３】
架台1の両側に夫々供給籠15、収納袋17を懸架することにより、中腰作業が解消され、横持、運搬作業の軽減と共に何処の作業場にも移動及び仮設が容易なものとなった。
【考案を実施するための最良の形態】
【００１４】
本考案の実施の形態を実施例に基づき図面を参照して説明する。
【実施例】
【００１５】
図１は本考案の空き缶潰し機の正面図であり、図2、図3、図４にそれぞれ平面図、左側面図及び本考案の挟み込み防止機構の概念図を示す。
架台1は立った姿勢にて作業の出来る高さに設定し、その上面に空き缶を載せる載置台2を取り付ける。載置台2には空き缶の前後方向の移動及び作業位置が安定するよう滑り止め2ｂ及び圧壊過程で中押し板６aの空き缶の挟み込みと圧壊厚みを規制するためのストッパー2aが取り付けられている。架台1の後方には上部軸受け3が取り付けられ上部軸受け用ピン11により、押えレバー5が連結されて回動する。
下部軸受け4には足踏みレバー8が下部軸受け用ピン14で連結され、連結用ピン13で連結された連結リンク7を介して押えレバー5を作動する。また、足踏み用レバー8は足踏みレバー用スプリング10により懸架されストッパー18により必要以上の踏み込み力を規制している。
【００１６】
押えレバー5は２枚の板と間隙を確保するための２個のピースで構成され、その両面の外側に圧壊板5aが取り付けられている。その間隙に中押し用スプリング9で懸架された中押し板6aが中押し連結用ピン12で回動出来るよう連結され、中押し手動レバー6の操作により空き缶の略中央を中押し板6aにより押壊することが出来るように構成されている。押えレバー５の上面に取り付けられた中押し板用ストッパー5bは中押し用スプリング９により中押し手動レバー６が必要以上に跳ね上がるのを防止するためのものである。その状態を図4（ｂ）及び図７(b)に示す。
【００１７】
中押し板6aによる押壊後、押壊板5aを押し下げる過程で、潰された缶が中押し板6aの両面を挟み込み、足踏みレバー8の開放時中押し板6aに付いて持ち上がり作業に支障をきたす場合がある。それを防ぐために中押し板6aを取り付ける中押し連結用ピン12の位置は載置台2のストッパー2aの位置に対してδ、押えレバー5の下面に対してζのオフセット値を与えることにより、圧壊板5aを押し下げるに従い中押し板6aがθだけ傾き、缶を圧壊しながら挟み込みから上方に抜け出すよう考案した。又、減容率を一定に安定させるためにストッパー18が取り付けられている。図4にその概念図を示す。
【００１８】
載置台2に置かれた空き缶は中押し板6aで押壊するとき、載置台2の上で滑り方向と位置が安定しない。円錐もしくは本考案のように半円錐の滑り止め2bを設けて点接触で空き缶に喰い込み易くして中押し板6aで押えたまま圧壊板5aで圧壊する。半壊の空き缶に対しては更に１列滑り止め2bを設け、どんな形状にも対応出来るよう３列とした。図５、図6にその考案を示す。半円錐は6ｍｍ程度の大きさのスポット溶接を行い、グラインダーでカットする事により形成することが出来る。
【００１９】
図3左側面図には左側に潰す前の空き缶を入れる供給籠15及びそれを懸架する供給籠懸けフック14、右側には潰した後の缶を入れる収納袋17及びそれを取り付ける収納袋懸けリング16を示す。
【００２０】
載置台2上に空き缶を乗せ、中押し手動レバー6を止まるまで手前下方に引くと、中押し板6aにより空き缶の略中央部が潰される。
潰された空き缶の両端は図7(b)に示すように内側に向かって傾きを形成する。足踏みレバー8を踏み下げることにより、それに連結された圧壊板5aが下がり、空き缶の蓋と底部の最も高い部分を押し下げることになり、両側から折りたたむようにして潰れる。空き缶の中央部を潰すのは僅かな力で良く、中央部が潰れた空き缶は比較的弱い力で全体を潰すことが出来る。足踏みレバー8から足を離すことにより足踏み用スプリング10によって足踏みレバー8及び圧壊板５aは元の位置に戻る。
架台1の左側の供給籠15から空き缶を取り出し、それにより載置台2上の圧壊された空き缶で押し出せば載置台2と圧壊板5aの間に手を入れることなく架台1の右側の収納袋17に落下収納出来る。立った姿勢で交互に左右の手及び脚を動かすので非常に安定した作業が出来る。
【産業上の利用可能性】
【００２１】
資源のリサイクル活動を促進するため、グループ活動等の大量の空き缶回収処理における減容、解体作業に十分に寄与できる。
【図面の簡単な説明】
【００２２】
【図１】本考案の空き缶潰し機の正面図である。
【図２】本考案の空き缶潰し機の平面図である。
【図３】本考案の空き缶潰し機の左側面図である。
【図４】本考案の挟み込み防止機能の概念図である。
【図５】本考案の載置台2の滑り止め2bの平面図である。
【図６】本考案の滑り止め2bの断面図である。
【図７】本考案の空き缶減容の工程の概念図である。
【符号の説明】
【００２３】
１  架台
２  載置台
２ａ  ストッパー
２ｂ  滑り止め
３  上部軸受け
４  下部軸受け
５  押えレバー
５a  圧壊板
５b  中押し板用ストッパー
６  中押し手動レバー
６a  中押し板
７  連結リンク
８  足踏みレバー
９  中押し用スプリング
１０  足踏み用スプリング
１１  上部軸受け用ピン
１２  中押し連結用ピン
１３  連結用ピン
１４  供給籠懸けフック
１５  供給籠
１６  収納袋懸けリング
１７  収納袋
１８  ストッパー
(a)  缶挿入時の初期状態の中押し手動レバーの位置
(b)  中押し板による中押し時の中押し手動レバーの位置
(c)  圧壊板による折りたたみ減容作業
(d)  圧壊後の中押し手動レバーの位置
【図１】
0003102158.tif 000003
【図２】
0003102158.tif 000004
【図３】
0003102158.tif 000005
【図４】
0003102158.tif 000006
【図５】
0003102158.tif 000007
【図６】
0003102158.tif 000008
【図７】
0003102158.tif 000009
【手続補正書】
【提出日】平成16年2月16日(2004.2.16)
【手続補正１】
【補正対象書類名】実用新案登録請求の範囲
【補正対象項目名】全文
【補正方法】変更
【補正の内容】
【実用新案登録請求の範囲】
【請求項１】
架台(1)に空き缶を載せる載置台(2)と前記載置台(2)に凸設したストッパー(2a)を備え、押えレバー(5)は足踏みレバー(8)に連結したリンク機構で上部軸受け(3)を支点として上下に開閉するようにし、中押し手動レバー(6)は前記押えレバー(5)に中押し連結用ピン(12)で連結し、その中押し手動レバー(6)と足踏みレバー(8)を立ち姿勢で交互に操作する空き缶潰し機であって、前記押えレバー(5)に対して中押し板(6a)の中押し連結用ピン(12)の取付け位置をストッパー(2a)より上部軸受け(3)側に設け更に中押し板(6a)の下面が押えレバー(5)の下面より突出する構造とし、前記押えレバー(5)がストッパー(2a)に当たり圧壊を完了する前に、中押し板(6a)がストッパー(2a)に当たり、その先端がストッパー(2a)を支点として上動し押えレバー(5)の中に収まることにより、中押し板(6a)が圧壊された空き缶に挟み込まれるのを防止する機能を備えた空き缶潰し機。
【請求項２】
請求項１記載の載置台（2）に複数の点接触の滑り止め(2b)を少なくとも３列設け、円筒及び半潰しの空き缶をも減容する過程で滑り難くする機能を備えた空き缶潰し機。
【手続補正書】
【提出日】平成16年2月16日(2004.2.16)
【手続補正１】
【補正対象書類名】明細書
【補正対象項目名】０００１
【補正方法】変更
【補正の内容】
【０００１】
本考案は使用済み空き缶の減容、解体を行い、保管、搬送の効率化を促進するための空き缶潰し機に関するものである。
【手続補正２】
【補正対象書類名】明細書
【補正対象項目名】０００７
【補正方法】変更
【補正の内容】
【０００７】
圧壊板5aが全体を圧壊する過程において、中押し板6aは圧壊した空き缶で挟み込まれないように、押えレバー５に対し中押し板6aの中押し連結用ピン12の位置をストッパー2aより上部軸受け3側にδ、中押し板6aの下面が押えレバー5の下面よりζ突出するよう構成することにより、押えレバー5がストッパー2aに当たる前に中押し板6aがストッツパー2aに当たり、ストッツパー2aを支点にθ度回転し中押し板6aの先端を上動して押えレバー5の中に収め、空き缶の挟み込みを防ぐ機構とする。
その概要を図4に示す。作業過程の中押し板の作動状況を図7に示す。
(a)缶挿入時の初期状態の中押し板の位置であり、(b)中押し時の中押し板の位置であり、(c)圧壊板による折りたたみ減容作業であり、(d)圧壊後の中押し板の位置である。
【手続補正３】
【補正対象書類名】明細書
【補正対象項目名】００１６
【補正方法】変更
【補正の内容】
【００１６】
押えレバー5は２枚の板と間隙を確保するための２個のピースで構成され、その両面の外側に圧壊板5aが取り付けられている。その間隙に中押し用スプリング9で懸架された中押し板6aが中押し連結用ピン12で回動出来るよう連結され、中押し手動レバー6の操作により空き缶の略中央を中押し板6aにより押壊することが出来るように構成されている。押えレバー５の上面に取り付けられた中押し板用ストッパー5bは中押し用スプリング９により中押し手動レバー６が必要以上に跳ね上がるのを防止するためのものである。圧壊作業完了時の状態を図4の圧壊完了(d)に示す。
【手続補正４】
【補正対象書類名】明細書
【補正対象項目名】００１７
【補正方法】変更
【補正の内容】
【００１７】
中押し板6aによる押壊後、圧壊板5aを押し下げる過程で、潰された缶が中押し板6aの両面を挟み込み、足踏みレバー8の開放時中押し板6aに付いて持ち上がり作業に支障をきたす場合がある。それを防ぐために押えレバー5に対し中押し板6aの中押し連結用ピン12の位置をストッパー2aより上部軸受け3側にδ、中押し板6aの下面が押えレバー5の下面よりζ突出するよう構成することにより、圧壊板5aが圧壊を完了する前に中押し板6aがθだけ傾きストッパー2aを支点に、その先端が上動して空き缶を圧壊しながら挟み込みから上方に抜け出すよう考案した。図4にその概念図を示す。又、減容率を一定に安定させるためにストッパー18が取り付けられている。
【手続補正５】
【補正対象書類名】明細書
【補正対象項目名】００２３
【補正方法】変更
【補正の内容】
【００２３】
架台
載置台
2a. ストッパー
2b. 滑り止め
上部軸受け
下部軸受け
押えレバー
5a. 圧壊板
5b. 中押し板用ストッパー
中押し手動レバー
6a. 中押し板
連結リンク
足踏みレバー
中押し用スプリング
足踏み用スプリング
上部軸受け用ピン
中押し連結用ピン
連結用ピン
供給籠懸けフック
供給籠
収納袋懸けリング
収納袋
ストッパー
【手続補正６】
【補正対象書類名】図面
【補正対象項目名】全図
【補正方法】変更
【補正の内容】
【図１】
0003102158.tif 000010
【図２】
0003102158.tif 000011
【図３】
0003102158.tif 000012
【図４】
0003102158.tif 000013
【図５】
0003102158.tif 000014
【図６】
0003102158.tif 000015
【図７】
0003102158.tif 000016